(57)【要約】【課題】スプ−ルの前後移動案内時に異音、振動が発生ず、良好な移動案内性が得られる魚釣用スピニングリ−ルを提供すること。【解決手段】スプ−ル軸６の後端の回り止め部６ａに摺動体７がビス１６で取り付けられ、摺動体７には規制体８が軸方向に摺動自在に取り付けられている。リ−ル本体１内の側壁面に軸筒からなる支持部１ｄに連動体９が軸承されて歯部９ａは駆動軸３外周に形成された歯車３ａに噛合されている。摺動体７の本体部７ａには縦方向の案内溝７ｃが形成されている。規制体８の平板部８ａには縦方向の案内溝８ｃが形成されている。連動体９の偏心位置に係合突部９ｃが形成されて係合突部９ｃは案内溝７ｃと案内溝８ｃに挿入され、発条３１の付勢力で案内溝８ｃ内の後面の係合壁ａで、係合突部９ｃは摺動体７の案内溝７ｃの前面の係合壁ｂに押圧されている。【選択図】        図２
2004229654.tif 000002
【特許請求の範囲】
【請求項１】
リ−ル本体に支持された駆動軸に連動して回転する連動体の偏芯位置に形成された係合突起が、スプ−ル軸の後部に取り付けられた摺動体の案内溝に係合して前記駆動軸の回転運動をスプ−ル軸の直線往復運動に変換する往復動装置を備えた魚釣用スピニングリ−ルにおいて、前記摺動体に、前記連動体の係合突起に係合して該係合突起を前記案内溝の係合壁に当接する方向に付勢された規制体を備えたことを特徴とする魚釣用スピニングリ−ル。
【請求項２】
前記摺動体に形成された案内溝が、スプ−ル軸線を非直交状態で横切るように形成される近似等速案内溝である請求項１に記載の魚釣用スピニングリ−ル。
【発明の詳細な説明】
【０００１】
【発明の属する技術分野】
この発明は、リ−ル本体に装着したハンドルの回転操作運動をスプ−ルの前後往復動に変換するスプ−ル往復動装置をリ−ル本体内に設けた魚釣用スピニングリ−ルの改良に関する。
【０００２】
【従来の技術】
ハンドルに連動して回転する連動歯車の偏芯位置に形成された係合突起を、スプ−ル軸の後部に取り付けられた摺動体の係合溝に係合させてハンドルからの回転運動をスプ−ル軸の直線往復動に変換する構成がスプ−ル往復動装置の一般的な構成として知られている。（例えば、特許文献１参照）
【０００３】
【特許文献１】特開昭２００１−３４６４８４号公報
【０００４】
しかしながら、前記特許文献１は、摺動体の係合溝内に連動歯車の係合突起は緩く嵌入されて嵌合ガタを有する状態で、連動歯車の回転運動が係合溝内の係合突起の係合作用を介して往復動運動に変換される構成のため、スプ−ルの前後移動案内時に異音が発生し易いと共に摺動体の前後移動変換時にこの嵌合ガタの影響により、振動も発生する等、不快であると共に軽快且つ円滑なスプ−ルの前後動案内操作が行えない、等の課題が残されている。
【０００５】
【発明が解決しようとする課題】
解決しようとする問題点は、
スプ−ルの前後移動案内操作時に異音、振動等が発生し、良好な移動案内性が得られないことである。
【０００６】
本発明の目的は前記欠点に鑑み、スプ−ルの前後移動案内時に異音、振動が発生せず、良好な移動案内性が得られる魚釣用スピニングリ−ルを提供することである。
【０００７】
【課題を解決するための手段】
上記課題を解決するために、
請求項１に係わる本発明は、リ−ル本体に支持された駆動軸に連動して回転する連動体の偏芯位置に形成された係合突起が、スプ−ル軸の後部に取り付けられた摺動体の案内溝に係合して前記駆動軸の回転運動をスプ−ル軸の直線往復運動に変換する往復動装置を備えた魚釣用スピニングリ−ルにおいて、前記摺動体に、前記連動体の係合突起に係合して該係合突起を前記案内溝の係合壁に当接する方向に付勢された規制体を備えたことを要旨とするものである。
請求項２に係わる本発明は、前記摺動体に形成された案内溝が、スプ−ル軸線を非直交状態で横切るように形成される近似等速案内溝であることを要旨とするものである。
【０００８】
【発明の実施の形態】
請求項１の本発明により、摺動体７に、連動体９の係合突部９ｃに係合して係合突部９ｃを摺動体７の案内溝７ｃの係合壁ｂに当接する方向に付勢された規制体８、８′を備える構成としたので、案内溝７ｃと係合突部９ｃとの間に生じる隙間によるガタ付きが吸収され、前後動案内時の異音、振動等の発生が防止でき、円滑なスプ−ル前後動案内操作が実現できる。
請求項２の本発明により、スプ−ル軸線に対して傾斜する近似等速案内溝７ｏ、７ｐ、７ｑ内の連動体９の係合突部９ｃが嵌合する嵌合遊度が大きくなる部分のスプ−ル軸線上のガタ付きを確実に吸収できるので、回転運動の等速前後往復動化による糸巻き状態の改善を図りながら異音、振動等の発生が防止でき、円滑なスプ−ル前後動案内操作が実現できる。
【０００９】
【実施例】
以下、図示の実施例によって本発明を説明すると、図１から図７は第１実施例で、図１は魚釣用スピニングリ−ルの断面平面図、図２はリ−ル本体の拡大断面平面図、図３はリ−ル本体の拡大断面背面図、図４はリ−ル本体の拡大一部断面側面図、図５は他のリ−ル本体の拡大一部断面側面図、図６は摺動体の連動体側の拡大側面図、図７は摺動体が前方に移動されたリ−ル本体の拡大断面平面図である。
【００１０】
魚釣用スピニングリ−ルは、リ−ル本体１の一側開口が蓋体２で閉塞され、蓋体２はリ−ル本体１に形成された図４、図５の複数のネジ孔１ａに螺合された図示しないビスで取り付けられている。
リ−ル本体１と蓋体２に取り付けられた軸受１０、１１で駆動軸３が軸承されている。
駆動軸３の外周一側には駆動歯車３′が固定され、駆動軸３の外周他側に歯車３ａが形成されている。
リ−ル本体１の前部には軸受１２で回転軸筒１３が回転自在に軸受されると共に前側に突出されている。
軸受１２より前側の回転軸筒１３の外周に逆転防止爪車１４とロ−タ４の中心軸筒４ａが嵌合されてナット１５で固定されている。
【００１１】
回転軸筒１３の基端１３ａは軸受部１ｂの透孔１ｃで回転自在に軸承され、基端１３ａの前側に一体的に形成されたピニオン１３ｂに駆動歯車３′が噛合されてロ−タ４はハンドル３″の回転に連動して回転されるように支持されている。回転軸筒１３の中心孔１３ｃには先端にスプ−ル５が取り付けられたスプ−ル軸６が前後往復動可能に摺動自在に挿入され、スプ−ル軸６の後端の回り止め部６ａに摺動体７がビス１６で取り付けられている。
摺動体７には規制体８がスプ−ル軸６の軸方向に摺動自在に取り付けられている。
リ−ル本体１内の側壁面に軸筒からなる支持部１ｄが形成されて歯車からなる連動体９が軸承されると共に、側壁面に形成されたリブからなる環状の台部１ｅ上に載せられている。
連動体９の歯部９ａは駆動軸３外周に形成された歯車３ａに噛合されている。
【００１２】
駆動軸３は駆動歯車３′にインサ−ト成形されている。
駆動軸３にはハンドル３″が左右交換自在に螺合され、ハンドル３″にはハンドルア−ム１７が折り畳み可能に連結されて端部にハンドルツマミ１８が回転自在に軸承されている。
【００１３】
ロ−タ４は中心軸筒４ａで回転軸筒１３に取り付けられ、中心軸筒４ａと前壁４ｂと大径の筒部４ｃと大径の筒部４ｃの基部４ｄ、４ｅの外周から前方に向けて突出された一対の支持腕４ｆ、４ｇとで形成されている。
一対のベ−ル支持腕４ｆ、４ｇの先端部外側に一方のベ−ル支持部材１９と他方のベ−ル支持部材２０がビス２１、２２で釣糸巻取位置と釣糸放出位置に反転自在に軸承されている。
一方のベ−ル支持部材１９には釣糸案内ロ−ラ２３の取付部２４が取り付けられている。
他方のベ−ル支持部材２０と釣糸案内ロ−ラ２３の取付部２４の間にベ−ル２５が取り付けられている。
スプ−ル５に巻回された釣糸２６は釣糸案内ロ−ラ２３で案内されて引き出される。
【００１４】
スプ−ル５は、釣糸２６が巻回される外周の釣糸巻回胴部５ａと、前側の鍔部５ｂと、後側の大径の筒部５ｃと、中心にスプ−ル軸６の先端小径部６ｂが嵌合される透孔５ｄと、スプ−ル５の前部にドラグ機構の制動部材Ａが収容される凹部５ｅと後側の軸筒部５ｆとで形成されている。
スプ−ル軸６の先端小径部６ｂの外周には回り止め部６ｃと、小径部６ｂの先端にネジ部６ｄが形成されている。
ネジ部６ｄには押圧部材２７のナット２８が螺合される。
【００１５】
摺動体７は板状の本体部７ａと突出部７ｂとで形成されている。
本体部７ａには縦方向の案内溝７ｃが形成され、突出部７ｂに横向きの回り止め透孔７ｄが形成されている。
更に突出部７ｂには回り止め透孔７ｄと直交するビス孔７ｅが形成されてビス１６が挿入されている。
本体部７ａの図３で上側には貫通孔７ｆが形成されてリ−ル本体１の前後方向に設けた軸杆からなる案内部２９が挿通されている。
更に本体部７ａの連動体９側の側面には図２、図３、図６のように凹部７ｇと凹部７ｇの上下で前側に抜け止め片７ｈ、７ｈが、凹部７ｇの後側に縦方向の凹部７ｉが形成されている。
前記縦方向の案内溝７ｃは凹部７ｇに更に深く形成されている。
凹部７ｉには規制体８に固定されたピン３０の逃げ穴７ｊが形成されている。
【００１６】
規制体８は平板部８ａの後側に折曲部８ｂが形成されて平板部８ａに案内溝７ｃと略同形の縦方向の案内溝８ｃが穿設され、折曲部８ｂに複数のピン３０が固定されている。
規制体８の平板部８ａのスプ−ル軸６軸方向の長さｘは、摺動体７の凹部７ｇ内の後側から抜け止め片７ｈまでの長さｘ′より短く形成されている。
規制体８が摺動体７の凹部７ｇ内に装着される時は、平板部８ａの折曲部８ｂの後面が摺動体７の凹部７ｇ内の後面に当たるようにして落し込み、その後、規制体８を前側に摺動してピン３０に発条３１を引っかけて凹部７ｇ内に発条３１を落し込む。
【００１７】
歯車からなる連動体９は外周に歯部９ａが形成され、中心に軸孔９ｂが形成されて一側面の偏心位置に係合突部９ｃが形成されている。
中心の軸孔９ｂにリ−ル本体１内の軸筒からなる支持部１ｄが挿入されてワッシャ３２を挾んでビス３３で抜け止めされている。
連動体９の係合突部９ｃは摺動体７の案内溝７ｃと規制体８の案内溝８ｃに挿入されている。
【００１８】
摺動体７はリ−ル本体１の前後方向に設けた軸杆からなる案内部２９によってスプ−ル軸６に対する回転方向の動きの規制を図りながら前後方向に移動案内可能に設けられている。
連動体９の係合突部９ｃは摺動体７の案内溝７ｃと規制体８の案内溝８ｃに挿入され、発条３１の付勢力で規制体８の案内溝８ｃ内の後面の係合壁ａで、係合突部９ｃは摺動体７の案内溝７ｃの前面の係合壁ｂに押圧されている。
【００１９】
魚釣用スピニングリ−ルの動作は、一方のベ−ル支持部材１９と他方のベ−ル支持部材２０が釣糸巻取位置にあって釣糸２６がスプ−ル５に巻回される方向にハンドルツマミ１８を握ってハンドルア−ム１６が回転されると、駆動歯車３′が回転されてピニオン１３ｂを介して回転軸筒１３が回転され、ロ−タ４が回転される。
駆動歯車３′が回転されると、駆動軸３が回転されて歯車３ａが回転され、連動体９が回転される。
連動体９の回転で摺動体７が係合突部９ｃで直線往復動されてスプ−ル軸６とスプ−ル５が直線往復動される。
即ち連動体９の回転運動で摺動体７とスプ−ル軸６とスプ−ル５が直線往復運動に変換される。
【００２０】
前記のように魚釣用スピニングリ−ルが構成されると、摺動体７に、連動体９の係合突部９ｃに係合して係合突部９ｃを摺動体７の案内溝７ｃの係合壁ｂに当接する方向に付勢された規制体８を備える構成としたので、案内溝７ｃと係合突部９ｃとの間に生じる隙間によるガタ付きが吸収され、前後動案内時の異音、振動等の発生が防止でき、円滑なスプ−ル前後動案内操作が実現できる。
【００２１】
図８、図９は第２実施例で、図８はリ−ル本体の拡大断面背面図、図９は（ａ）規制体の平面図で（ｂ）摺動体の連動体側の平面図で（ｃ）摺動体に規制体が組み合わされた平面図である。
【００２２】
第２実施例では、摺動体７は板状の本体部７ａと突出部７ｂとで形成されている。
本体部７ａには縦方向の案内溝７ｃと四角形の凹部７ｋと周囲に複数の切欠き部７ｍ、７ｎが形成されている。
規制体８′は平板部８ａの後側に複数の折曲部８ｄが形成されて平板部８ａに案内溝７ｃと略同形の縦方向の案内溝８ｃが穿設され、折曲部８ｄに複数のピン３０が固定されている。
更に平板部８ａの周囲の図で裏面に鈎状の折曲部８ｅ、８ｆが形成されている。
摺動体７の本体部７ａと規制体８′の平板部８ａが重ねられた時、切欠き部７ｍと鈎状の折曲部８ｅが、切欠き部７ｎと鈎状の折曲部８ｆが同位置になるように形成されると共に、摺動体７の四角形の凹部７ｋに規制体８′の折曲部８ｄが挿入可能位置になる。
他の構成は前記第１実施例と略同一である。
【００２３】
図１０、図１１は第３実施例で、図１０はリ−ル本体の要部拡大断面平面図、図１１は摺動体の連動体側の拡大側面図である。
【００２４】
第３実施例では、摺動体７は板状の本体部７ａと突出部７ｂとで形成されている。
本体部７ａには連動体９側の側面に縦方向の案内溝７ｃと凹部７ｇと凹部７ｇの後側に縦方向の凹部７ｉが形成されている。
規制体８は平板部８ａの後側に折曲部８ｂが形成されて平板部８ａに案内溝７ｃと略同形の縦方向の案内溝８ｃが穿設され、折曲部８ｂに複数のピン３０が固定されている。
更に平板部８ａにスプ−ル軸６軸方向の長孔８ｇが穿設されてビス３２で摺動体７に離脱止めされている。
他の構成は前記第１実施例と略同一である。
【００２５】
図１２は第４実施例で、図１２は摺動体の連動体側の拡大側面図である。
【００２６】
第４実施例では、摺動体７は板状の本体部７ａと図示しない突出部とで形成され、摺動体７の案内溝７ｏと規制体８の案内溝８ｈはスプ−ル軸６の前後方向へ傾斜してスプ−ル軸線６′を非直交状態で横切るように形成されている。
摺動体７の本体部７ａには連動体９側の側面に傾斜した案内溝７ｏと凹部７ｇと凹部７ｇの上下で前側に抜け止め片７ｈ、７ｈが、凹部７ｇの後側に縦方向の凹部７ｉが形成されている。
規制体８は平板部８ａの後側に折曲部８ｂが形成されて平板部８ａに案内溝７ｏと略同形の縦方向の案内溝８ｈが穿設され、折曲部８ｂに複数のピン３０が固定されている。
案内溝７ｏと案内溝８ｈの中には連動体９の係合突部９ｃが挿入されている。連動体９の回転量に対する係合突部９ｃを介しての摺動体７の前後往復時の移動速度が、近似等速案内溝を構成する傾斜して形成される案内溝７ｏによって略均一に変換されてスプ−ル５の釣糸巻回胴部５ａ外周に釣糸２６が等間隔で巻回される。
他の構成は前記第１実施例と略同一である。
【００２７】
第４実施例のように、発条３１で付勢される規制体８の傾斜されている案内溝８ｈの一側で係合突部９ｃを摺動体７の案内溝７ｏの係合壁に当接する方向に押圧するように魚釣用スピニングリ−ルが構成されると、スプ−ル軸線に対して傾斜する近似等速案内溝７ｏ、８ｈ内の連動体９の係合突部９ｃが嵌合する嵌合遊度が大きくなる部分のスプ−ル軸線６′上のガタ付きを確実に吸収できるので、回転運動の等速前後往復動化による糸巻き状態の改善を図りながら異音、振動等の発生が防止でき、円滑なスプ−ル前後動案内操作が実現できる。
【００２８】
図１３は第５実施例で、図１３は摺動体の連動体側の拡大側面図である。
【００２９】
第５実施例では、摺動体７は板状の本体部７ａと図示しない突出部とで形成され、摺動体７の案内溝７ｐと規制体８の案内溝８ｉは夫々スプ−ル軸６の前後方向へ傾斜してスプ−ル軸線６′を非直交状態で横切るように形成した傾斜部αと傾斜部αの両端側からスプ−ル軸６と略直交する上下方向へ延設したストレ−ト部βで近似等速案内溝が形成されている。
摺動体７の本体部７ａには連動体９側の側面に案内溝７ｐと凹部７ｇと凹部７ｇの上下で前側に抜け止め片７ｈ、７ｈが、凹部７ｇの後側に縦方向の凹部７ｉが形成されている。
規制体８は平板部８ａの後側に折曲部８ｂが形成されて平板部８ａに案内溝７ｐと略同形の案内溝８ｉが穿設され、折曲部８ｂに複数のピン３０が固定されている。
【００３０】
案内溝７ｐと案内溝８ｉの中には連動体９の係合突部９ｃが挿入されている。第５実施例においても、連動体９の回転量に対する係合突部９ｃを介しての摺動体７の前後往復時の移動速度が、近似等速案内溝を構成する傾斜して形成される傾斜部αと上下のストレ−ト部βによって略均一に変換されてスプ−ル５の釣糸巻回胴部５ａ外周に釣糸２６が等間隔で巻回される。
連動体９の係合突部９ｃとの嵌合ガタが、上下のストレ−ト部β及びスプ−ル軸方向の嵌合遊度が大きくなる傾斜部αにわたって確実に吸収できるので、回転運動の等速前後往復動化による糸巻き状態の改善を図りながら異音、振動等の発生が防止でき、円滑なスプ−ル前後動案内操作が実現できる。
【００３１】
図１４は第６実施例で、図１４は摺動体の連動体側の拡大側面図である。
【００３２】
第６実施例では、摺動体７は板状の本体部７ａと図示しない突出部とで形成され、摺動体７の案内溝７ｑと規制体８の案内溝８ｊは夫々スプ−ル軸線６′を非直交状態で横切るように上下方向へ延設した傾斜面で連続形成されるＳ字形で近似等速案内溝が形成されている。
摺動体７の本体部７ａには連動体９側の側面に案内溝７ｑと凹部７ｇと凹部７ｇの上下で前側に抜け止め片７ｈ、７ｈが、凹部７ｇの後側に縦方向の凹部７ｉが形成されている。
規制体８は平板部８ａの後側に折曲部８ｂが形成されて平板部８ａに案内溝７ｑと略同形の案内溝８ｊが穿設され、折曲部８ｂに複数のピン３０が固定されている。
【００３３】
案内溝７ｑと案内溝８ｊの中には連動体９の係合突部９ｃが挿入されている。連動体９の回転量に対する係合突部９ｃを介しての摺動体７の前後往復時の移動速度が、近似等速案内溝を構成する傾斜してＳ字状に連続形成される案内溝７ｑによって略均一に変換されてスプ−ル５の釣糸巻回胴部５ａ外周に釣糸２６が等間隔で巻回される。
連動体９の係合突部９ｃとの嵌合ガタが、傾斜面でＳ字状に連続形成される案内溝８ｊとのスプ−ル軸方向の嵌合ガタが大きくなる部分のガタ付きを確実に吸収できるので、回転運動の等速前後往復動化による糸巻き状態の改善を図りながら異音、振動等の発生が防止でき、円滑なスプ−ル前後動案内操作が実現できる。
【００３４】
図１５は第７実施例で、図１５は摺動体の連動体側の拡大側面図である。
【００３５】
第７実施例では、摺動体７は板状の本体部７ａと図示しない突出部とで形成されている。
本体部７ａには連動体９側の側面に案内溝７ｃと凹部７ｇと凹部７ｇの上下の横幅の中央に抜け止め片７ｈ、７ｈが、凹部７ｇの左右に縦方向の凹部７ｉ、７ｉが形成されている。
前記縦方向の案内溝７ｃは凹部７ｇに更に深く形成されている。
規制体は２分割されて左右の規制体８″は対称形で、平板部８ｋの両外側に夫々折曲部８ｂが形成されて夫々平板部８ｋの内側に左右合わせて案内溝７ｃと略同形となる２分割の案内溝８ｍが形成されている。
夫々折曲部８ｂに複数のピン３０が固定されている。
凹部７ｉには規制体８″に固定されたピン３０の逃げ穴７ｊが形成されている。
ピン３０に発条３１が引っかけられている。
【００３６】
連動体９の係合突部９ｃは摺動体７の案内溝７ｃに挿入され、動作の停止時には、発条３１の付勢力で規制体８″の２分割の案内溝８ｍの係合壁ａが係合突部９ｃの両側に当接され、案内動作が開始されると摺動体７の前後動作方向の案内溝７ｃの係合壁ｂに係合突部９ｃが、２分割されて発条３１で係合突部９ｃ側に付勢された規制体８″によって前後往復移動時、常時押圧されるので、往復動案内時のガタ付きをより確実に吸収できる。
他の構成は前記第１実施例と略同一である。
【００３７】
前記説明では規制体８、８′、８″は発条３１で付勢されているが、発条に代えてゴムバネや異極同士が反発する磁石を使用してもよい。
前記説明ではハンドル３″の回転で駆動歯車３′が回転されると、歯車３ａを介して連動体９が回転され、連動体９の回転で摺動体７が係合突部９ｃと案内溝７ｃ、７ｏ、７ｐ、７ｑとの嵌合案内で直線往復動に変換されてスプ−ル軸６とスプ−ル５が直線往復動される構成で述べたが、他の連動回転で摺動体が係合突部で直線往復動される例えば、特開２００２−１０１７９２号で開示されているギヤ部材２１に形成されているカム部２１ａ、２１ｂとスライダ２２のカム係合部２２ａ、２２ｂとの間のガタ吸収構成に実施してもよい。
前記説明では連動体９は歯車からなる連動体で述べたが、歯車以外のカム等からなる連動体であってもよい。
【００３８】
【発明の効果】
本発明は、以上説明したような形態で実施され、以下に記載されるような効果を奏する。
【００３９】
請求項１により、摺動体に、連動体の係合突部に係合して係合突部を摺動体の案内溝の係合壁に当接する方向に付勢された規制体を備える構成としたので、案内溝と係合突部との間に生じる隙間によるガタ付きが吸収され、前後動案内時の異音、振動等の発生が防止でき、円滑なスプ−ル前後動案内操作が実現できる。請求項２により、スプ−ル軸線に対して傾斜する近似等速案内溝内の連動体の係合突部が嵌合する嵌合遊度が大きくなる部分のスプ−ル軸線上のガタ付きを確実に吸収できるので、回転運動の等速前後往復動化による糸巻き状態の改善を図りながら異音、振動等の発生が防止でき、円滑なスプ−ル前後動案内操作が実現できる。
【図面の簡単な説明】
【図１】第１実施例で、魚釣用スピニングリ−ルの断面平面図である。
【図２】同リ−ル本体の拡大断面平面図である。
【図３】同リ−ル本体の拡大断面背面図である。
【図４】同リ−ル本体の拡大一部断面側面図である。
【図５】同他のリ−ル本体の拡大一部断面側面図である。
【図６】同摺動体の連動体側の拡大側面図である。
【図７】同摺動体が前方に移動されたリ−ル本体の拡大断面平面図である。
【図８】第２実施例で、リ−ル本体の拡大断面背面図である。
【図９】同（ａ）規制体の平面図で（ｂ）摺動体の連動体側の平面図で（ｃ）摺動体に規制体が組み合わされた平面図である。
【図１０】第３実施例で、リ−ル本体の要部拡大断面平面図である。
【図１１】同摺動体の連動体側の拡大側面図である。
【図１２】第４実施例で、摺動体の連動体側の拡大側面図である。
【図１３】第５実施例で、摺動体の連動体側の拡大側面図である。
【図１４】第６実施例で、摺動体の連動体側の拡大側面図である。
【図１５】第７実施例で、摺動体の連動体側の拡大側面図である。
【符号の説明】
１  リ−ル本体
３  駆動軸
５  スプ−ル
６  スプ−ル軸
７  摺動体
７ｃ  案内溝
７ｏ、７ｐ、７ｑ  近似等速案内溝
８、８′、８″  規制体
９  連動体
９ｃ  係合突部
ｂ  係合壁
【図１】
2004229654.tif 000003
【図２】
2004229654.tif 000004
【図３】
2004229654.tif 000005
【図４】
2004229654.tif 000006
【図５】
2004229654.tif 000007
【図６】
2004229654.tif 000008
【図７】
2004229654.tif 000009
【図８】
2004229654.tif 000010
【図９】
2004229654.tif 000011
【図１０】
2004229654.tif 000012
【図１１】
2004229654.tif 000013
【図１２】
2004229654.tif 000014
【図１３】
2004229654.tif 000015
【図１４】
2004229654.tif 000016
【図１５】
2004229654.tif 000017